(57)【要約】【課題】  ハンドル組立体に直接補助吸気機構の使用時にもサイクロン集塵装置の使用が可能で真空掃除機の掃除効率を向上させることにある。【解決手段】  本発明に係るハンドル組立体は、吸気口の組立体に掃除機本体それぞれと空気疎通が可能に連結される入口と出口を有するハンドル管と、被掃除面の掃除の際にユーザが把持できるように前記ハンドル管上に形成される取っ手と、ハンドル管の一側に突出されるよう設けられ、ハンドル管の入口を介して吸込まれた外気を遠心分離してその外気に含まれたゴミを分離してから清浄空気をハンドル管の出口側に排出するサイクロン集塵装置とを含む。【選択図】      図３ 
2004358252.tif 000002
【特許請求の範囲】
【請求項１】
吸気口組立体に空気疎通が可能に連結される入口と、掃除機本体に空気疎通が可能に連結される出口と、を有するハンドル管と、
被掃除面の掃除の際にユーザが把持できるように前記ハンドル管上に形成される取っ手と、
前記ハンドル管の一側から突出され、前記ハンドル管の入口を介して吸込まれた外気を遠心分離してその外気に含まれたゴミを分離してから清浄空気を前記ハンドル管の出口側に排出するサイクロン集塵装置とを含むことを特徴とする真空掃除機用のハンドル組立体。
【請求項２】
前記サイクロン集塵装置の終端は、前記吸気口組立体と前記掃除機本体とを連結する吸気経路に沿ったハンドル管の下流に向いていることを特徴とする請求項１に記載の真空掃除機用のハンドル組立体。
【請求項３】
前記ハンドル管は、
前記ハンドル管の入口と前記サイクロン集塵装置内とを空気疎通が可能になるよう連結する第１のチューブと、
前記ハンドル管の出口と前記サイクロン集塵装置内とを空気疎通が可能になるよう連結する第２のチューブと、
前記第１および第２のチューブが前記ハンドル管内で互いに隔離されるように前記ハンドル管内に設けられる隔壁とを含むことを特徴とする請求項２に記載の真空掃除機用のハンドル組立体。
【請求項４】
前記サイクロン集塵装置は、
前記ハンドル管の側面に連結され、前記第１のチューブと連結される入口と、前記第２のチューブと連結される出口と、を有するサイクロン本体と、
前記サイクロン本体に着脱自在に結合され前記外気が遠心分離されるサイクロンチャンバを形成させ、その終端は前記サイクロン本体に結合された状態で前記吸気経路に沿った前記ハンドル管の下流側に向いているダストカップとを含むことを特徴とする請求項３に記載の真空掃除機用のハンドル組立体。
【請求項５】
前記サイクロン本体は、前記ダストカップと結合される開放端を有し、その内部に前記ダストカップとの結合時にサイクロンチャンバを形成させる空間が設けられたケースを含み、
前記ケースの一側に形成された入口は、前記サイクロンチャンバへ吸込まれる空気が前記ケースの接線方向へガイドされるように前記第１のチューブに連結されることを特徴とする請求項４に記載の真空掃除機用のハンドル組立体。
【請求項６】
前記策ロン本体の出口を覆うように前記ケース内に設けられるグリル部材を含み、前記グリル部材は、
複数の微細孔を有する円筒状のボディーと、
前記ボディーの下端に拡張形成されたスカートと、を有し、
前記スカートは円周方向に一部が切開されて段落形成されたことを特徴とする請求項５に記載の真空掃除機用のハンドル組立体。
【請求項７】
前記スカートは、円周方向に前記切開された部分を向いて下向き傾斜されるように形成された傾斜面を有することを特徴とする請求項６に記載の真空掃除機用のハンドル組立体。
【請求項８】
前記入口は、流入管を介して前記第１のチューブに連結され、前記流入管は前記サイクロン集塵装置の入口と連結された出口側の断面積が前記第１のチューブと連結された入口側の断面積より次第に小さくなる形状で形成されたことを特徴とする請求項５に記載の真空掃除機用のハンドル組立体。
【請求項９】
前記サイクロン集塵装置内には、前記サイクロンチャンバを第１のチャンバと第２のチャンバとに両分するゴミ分離板が設けられることを特徴とする請求項８に記載の真空掃除機用のハンドル組立体。
【請求項１０】
前記ケースと前記ダストカップとの結合時、前記サイクロン本体と前記ダストカップは前記ハンドル管について斜めに形成された中心軸に沿って直列配されることを特徴とする請求項９に記載の真空掃除機用のハンドル組立体。
【請求項１１】
前記ゴミ分離板は、前記ケースの開放端に近接した前記ケース内に前記ケースの内周面について斜めに設けられ、その一側には前記第１のチャンバから分離されたゴミが前記第２のチャンバに排出できるように逃避穴が貫通形成されることを特徴とする請求項１０に記載の真空掃除機用のハンドル組立体。
【請求項１２】
前記ゴミ分離板は、前記逃避穴が形成された部分が残りの部分より前記ダストカップの終端と隣接した方向に斜めに設けられることを特徴とする請求項１１に記載の真空掃除機用のハンドル組立体。
【請求項１３】
前記ダストカップは、前記サイクロン本体と結合された状態で実質的に前記第２のチューブと平行に配されることを特徴とする請求項１０に記載の真空掃除機用のハンドル組立体。
【請求項１４】
前記サイクロン集塵装置は、前記ハンドル管に連結される部分と前記ダストカップとの終端が互い斜めに連結されるよう、その一部が屈折されたことを特徴とする請求項５に記載の真空掃除機用のハンドル組立体。
【請求項１５】
前記ケースの開放端に隣接した前記ケースの一部が屈折されることを特徴とする請求項１４に記載の真空掃除機用のハンドル組立体。
【請求項１６】
前記サイクロン集塵装置内部には、前記サイクロンチャンバを第１のチャンバと第２のチャンバとに両分するゴミ分離板と、前記第１のチャンバから分離されたゴミが前記第２のチャンバに流入されるよう逃避穴が形成されることを特徴とする請求項１５に記載の真空掃除機用のハンドル組立体。
【請求項１７】
前記逃避穴は、前記ゴミ分離板の一側に貫通形成され、
前記ゴミ分離板は、前記逃避穴が形成された部分が残りの部分より前記ダストカップの終端と隣接されるよう斜めに設けられることを特徴とする請求項１６に記載の真空掃除機用のハンドル組立体。
【請求項１８】
前記ケースは、
前記ハンドル管にカンチレバー状で斜めに連結された第１のケースと、
前記第１のケースの先端一部が重畳されるよう前記第１のケースの先端部に斜めに連結される第２のケースとを含み、
前記ゴミ分離板は、前記第２のケース内に位置した前記第１のケースの終端を覆うように設けられることを特徴とする請求項１６に記載の真空掃除機用のハンドル組立体。
【請求項１９】
前記逃避穴は、前記ゴミ分離板に隣接した前記第２のケース内に位置する前記第１のケースの外周面に貫通形成され、前記ダストカップの終端ともっとも隣接した第１のケースの外周面の一側に貫通形成されることを特徴とする請求項１８に記載の真空掃除機用のハンドル組立体。
【請求項２０】
前記第１のケースと前記第２のケースおよび前記ゴミ分離板は一体に形成されることを特徴とする請求項１９に記載の真空掃除機用のハンドル組立体。
【請求項２１】
前記ダストカップは、前記サイクロン本体と結合された状態で実質的に前記第２のチューブと平行に配されることを特徴とする請求項１５に記載の真空掃除機用のハンドル組立体。
【請求項２２】
前記サイクロン本体と前記ダストカップの結合/結合解除の際、前記ダストカップを前記ハンドル管に摺動および着脱自在に連結する補助結合ユニットを更に含むことを特徴とする請求項４に記載の真空掃除機用のハンドル組立体。
【請求項２３】
前記補助結合ユニットは、
前記ハンドル管および前記ダストカップのうちいずれか一側から突出形成されたスライド突起と、
前記スライド突起と着脱自在に結合され、前記スライド突起との結合時に前記スライド突起を摺動自在に支持するよう前記ハンドル管および前記ダストカップのうち残り１つの一側に形成されたスライド溝とを含むことを特徴とする請求項２２に記載の真空掃除機用のハンドル組立体。
【請求項２４】
前記ケース内に設けられ、上部が前記サイクロン本体の出口と連結される筒型の内側ケースと、
前記内側ケースの下部に連結されるグリル部材とをさらに含むことを特徴とする請求項５に記載の真空掃除機用のハンドル組立体。
【請求項２５】
前記内側ケースの外部に設けられ、前記サイクロン本体の入口を介して吸込まれる前記空気を下部の方にガイドする空気誘導壁をさらに含むことを特徴とする請求項２４に記載の真空掃除機用のハンドル組立体。
【請求項２６】
前記空気誘導壁は、螺旋方向で次第に下向き傾斜してなることを特徴とする請求項２５に記載の真空掃除機用のハンドル組立体。
【請求項２７】
前記空気誘導壁の上部面と一体に設けられ、前記サイクロン本体の入口に嵌合される挿入口をさらに含むことを特徴とする請求項２５に記載の真空掃除機用のハンドル組立体。
【請求項２８】
前記グリル部材は、
複数の微細孔を有する円筒状のボディーと、
前記ボディーの下端に拡張形成されたスカートとを有し、
前記スカートは、円周方向に一部が切開されて段落形成されたことを特徴とする請求項２４に記載の真空掃除機用のハンドル組立体。
【請求項２９】
前記スカートは、円周方向に前記切開された部分を向いて下向き斜めに形成された傾斜面を有することを特徴とする請求項２８に記載の真空掃除機用のハンドル組立体。
【請求項３０】
前記ダストカップ内にゴミ流動防止部材がさらに設けられることを特徴とする請求項４ないし２９のうちいずれか一項に記載の真空掃除機用のハンドル組立体。
【請求項３１】
前記ゴミ流動防止部材は、前記ダストカップの長さ方向に沿って前記ダストカップの内部に突出される板型部材を含み、前記ダストカップの終端の方に進行されるほど突出長さが長くなるようその上端が斜めに形成されることを特徴とする請求項３０に記載の真空掃除機用のハンドル組立体。
【請求項３２】
前記サイクロン本体と前記ダストカップは透明であることを特徴とする請求項４ないし２９のうちいずれか一項に記載の真空掃除機用のハンドル組立体。
【請求項３３】
前記サイクロン本体と前記ハンドル管は一体に形成されることを特徴とする請求項４ないし２９のうちいずれか一項に記載の真空掃除機用のハンドル組立体。
【請求項３４】
前記ハンドル管は、延長管を経由して前記吸気口組立体と空気疎通が可能に設けられ、フレキシブルなホースを経由して前記掃除機本体と空気疎通が可能に設けられることを特徴とする請求項１ないし２９のうちいずれか一項に記載の真空掃除機用のハンドル組立体。
【発明の詳細な説明】
【技術分野】
【０００１】
本発明は、真空掃除機に関し、特に、掃除機本体と吸気口の組立体とを連結する吸気経路上に設けられるハンドル組立体およびサイクロン集塵装置に関する。
【背景技術】
【０００２】
図１を参照すれば、通常のキャニスター型真空掃除機は、真空源を内蔵する掃除機本体１００と、前記真空源の駆動時に被掃除面のゴミを吸込む吸気口組立体１１０と、吸気口組立体１１０と連結される延長管１２０と、前記真空源と空気疎通が可能に掃除機本体１００と連結されるフレキシブルホース１３０と、延長管１２０とフレキシブルホース１３０との間に設けられ取っ手１４１および操作スイッチ１４５を備えるハンドル組立体１４０と、ハンドル組立体１４０と延長管１２０との間に設けられ吸気口組立体１１０を介して吸込まれた外気を遠心分離するサイクロン集塵装置１５０と、を含む。
【０００３】
そして、真空掃除機は掃除の対象に応じて多様な形状に形成された、例えば、隙間（crevice）掃除用吸気機構のような補助吸気機構１７０が併用可能となっている。かかる補助吸気機構１７０は、吸気口組立体１１０の代わりに延長管１２０に連結して使用したり、延長管１２０の代わりにハンドル組立体１４０に連結して使用され得る。
【０００４】
しかし、前述のような延長管１２０とハンドル組立体１４０との間にサイクロン集塵装置１６０が装着された形態の真空掃除機は、吸気口組立体１１０の代わりに補助吸気機構１７０を延長管１２０に連結して使う時にはそれほどの紛わしさはないものの、延長管１２０の代わりに補助吸気機構１７０をハンドル組立体１４０に連結して使う時においては不便さを感じざるを得ない。
【０００５】
即ち、サイクロン集塵装置１５０がハンドル組立体１４０に連結された状態でサイクロン集塵装置１５０に直接補助吸気機構１７０を連結する場合、補助吸気機構１７０より長いサイクロン集塵装置１５０のダストカップ１６０により被掃除面に補助吸気機構１７０の接近が妨害される問題がある。
【０００６】
そして、サイクロン集塵装置１５０をハンドル組立体１４０から分離した後補助吸気機構１７０を連結する場合、サイクロン集塵装置１５０が使われないことから掃除の効率が低下されるという問題点を抱えている。
【０００７】
さらに、最近にはサイクロン集塵装置１５０を除いた別の集塵装置が掃除機本体１００に更に設けない状態の真空掃除機が現れ、補助吸気機構１７０の使用時にもサイクロン集塵装置１５０が使用できる技術開発が求められている。
【発明の開示】
【発明が解決しようとする課題】
【０００８】
本発明は、前述した従来の問題を解決するために案出されたもので、その目的は、補助吸気機構の使用時にもサイクロン集塵装置の使用が可能になるようその構造が改善されたサイクロン集塵装置およびそのサイクロン集塵装置を備えるハンドル組立体を提供することにある。
【課題を解決するための手段】
【０００９】
前述した目的を達成するために本発明に係る真空掃除機用のハンドル組立体は、吸気口の組立体に空気疎通が可能に連結される入口と掃除機本体に空気疎通が可能に連結される出口とを有するハンドル管と、被掃除面の掃除の際にユーザが把持できるように前記ハンドル管上に形成される取っ手と、前記ハンドル管の一側に突出されるよう設けられ、前記ハンドル管の入口を介して吸込まれた外気を遠心分離してその外気に含まれたゴミを分離してから清浄空気を前記ハンドル管の出口側に排出するサイクロン集塵装置とを含むことを特徴とする。
【００１０】
これによれば、補助吸気機構を吸気口組立体に直接連結して使用してもサイクロン集塵装置の使用が可能であるため掃除効率が向上される。
【００１１】
本発明の好ましい実施例によれば、前記サイクロン集塵装置の終端は、前記吸気口組立体と前記掃除機本体とを連結する吸気経路に沿ったハンドル管の下流側に向いていることが好ましい。
【００１２】
そして、前記ハンドル管は、前記ハンドル管の入口と前記サイクロン集塵装置内とを空気疎通が可能になるよう連結する第１のチューブと、前記ハンドル管の出口と前記サイクロン集塵装置内とを空気疎通が可能になるよう連結する第２のチューブと、前記第１および第２のチューブが前記ハンドル管内で互いに隔離されるように前記ハンドル管内に設けられる隔壁と、を含むことが好ましい。
【００１３】
一方、前記サイクロン集塵装置は、前記第１および第２のチューブと連結される入口と出口を有し、ハンドル管の側面に連結されるサイクロン本体と、前記サイクロン本体に着脱自在に結合され前記外気が遠心分離されるサイクロンチャンバを形成させ、その終端は前記サイクロン本体に結合された状態で前記吸気経路に沿った前記ハンドル管の下流側に向いているダストカップとを含むことが好ましい。
【００１４】
そして、前記サイクロン本体は、前記ダストカップと結合される開放端を有し、その内部に前記ダストカップとの結合時にサイクロンチャンバを形成させる空間が形成されたケースを含み、前記ケースの一側に形成された入口は、前記サイクロンチャンバに吸込まれる空気が前記ケースの接線方向に案内されるよう流入管を介して前記第１のチューブに連結され、前記流入管は、前記サイクロン集塵装置の入口と連結された出口側の断面積が前記第１のチューブと連結された入口側の断面積より次第に小さくなる形状に形成されたことが好ましい。
【００１５】
尚、前記サイクロン集塵装置内には、前記サイクロンチャンバを第１のチャンバと第２のチャンバとに両分するゴミ分離板が設けられ、前記ケースと前記ダストカップとの結合時、前記サイクロン本体と前記ダストカップは前記ハンドル管について斜めに形成された中心軸に沿って直列配されることが好ましい。
【００１６】
ここで、前記ゴミ分離板は、前記ケースの開放端に近接した前記ケース内に前記ケースの内周面について斜めに設けられ、その一側には前記第１のチャンバから分離されたゴミが前記第２のチャンバに排出できるように逃避穴が貫通形成されることが好ましい。
【００１７】
そして、前記ゴミ分離板は、前記逃避穴が形成された部分が残りの部分より前記ダストカップの終端と隣接した方向に斜めに設けられることが好ましい。
【００１８】
ここで、前記ダストカップは、前記サイクロン本体と結合された状態で実質的に前記第２のチューブと平行に配されることが好ましい。
【００１９】
本発明の他の実施例に係るサイクロン集塵装置は、前記ハンドル管に連結される部分と前記ダストカップとの終端が互い斜めに連結されるよう、その一部が屈折され、特に、前記ケースの開放端に隣接した前記ケースの一部が屈折されることが好ましい。
【００２０】
そして、前記サイクロン集塵装置内部には、前記サイクロンチャンバを第１のチャンバと第２のチャンバとに両分するゴミ分離板と、前記第１のチャンバから分離されたゴミが前記第２のチャンバに流入されるよう逃避穴が形成されることが好ましい。
【００２１】
尚、前記逃避穴は、前記ゴミ分離板の一側に貫通形成され、前記ゴミ分離板は、前記逃避穴が形成された部分が残りの部分より前記ダストカップの終端と隣接されるよう斜めに設けられることが更に好ましい。
【００２２】
一方、前記ケースは、前記ハンドル管にカンチレバー状で斜めに連結された第１のケースと、前記第１のケースの先端部に斜めに連結される第２のケースと、を含み、前記第１のケースの先端は、前記第２のケース内にその第２のケースの内周面から所定の長さが突出されるように配され、前記ゴミ分離板は、前記第２のケース内に位置した前記第１のケースの終端を覆うように設けられることが好ましい。
【００２３】
そして、前記逃避穴は、前記ゴミ分離板と連結され前記第２のケース内に位置する前記第１のケースの外周面に貫通形成され、前記ダストカップの終端ともっとも隣接した第１のケースの外周面の一側に貫通形成されることが好ましい。
【００２４】
尚、前記第１のケースと前記第２のケースおよび前記ゴミ分離板は一体に形成され、前記ダストカップは、前記サイクロン本体と結合された状態で実質的に前記第２のチューブと平行に配されることが好ましい。
【００２５】
本発明の他の実施例によると、前記サイクロン本体と前記ダストカップの結合/結合解除の際、前記ダストカップを前記ハンドル管に摺動および着脱自在に連結する補助結合ユニットを更に含むことが好ましい。
【００２６】
そして、前記補助結合ユニットは、前記ハンドル管および前記ダストカップのうちいずれか一側から突出形成されたスライド突起と、前記スライド突起と着脱自在に結合され、前記スライド突起との結合時に前記スライド突起を摺動自在に支持するよう前記ハンドル管および前記ダストカップのうち残り１つの一側に形成されたスライド溝とを含むことが好ましい。
【００２７】
本発明の更なる実施例によれば、前記ケース内に設けられ、上部が前記サイクロン本体の出口と連結される筒型の内側ケースと、前記内側ケースの下部に連結されるグリル部材と、前記内側ケースの外部に設けられ、前記サイクロン本体の入口を介して吸込まれる前記空気を下部の方にガイドする空気誘導壁をさらに含むことが好ましい。
【００２８】
尚、前記空気誘導壁は、螺旋方向に次第下向き斜めに形成されることが好ましく、前記空気誘導壁の上部面と一体に設けられ、前記サイクロン本体の入口に嵌合される挿入口をさらに含むことが好ましい。
【００２９】
そして、前記グリル部材は、複数の微細孔を有する円筒状のボディーと、前記ボディーの下端に拡張形成されたスカートと、を有し、前記スカートは、円周方向に一部が切開されて段落形成されたことを特徴とすることが好ましい。ここで、前記スカートは、円周方向に前記切開された部分を向いて下向き斜めに形成された傾斜面を有することが好ましい。
【００３０】
以上のように構成されたハンドル組立体は、前記ダストカップ内にゴミ流動防止部材が更に設けられ、前記ゴミ流動防止部材は、前記ダストカップの長さ方向に沿って前記ダストカップ内に突出される板状部材を含み、前記ダストカップの終端の方に進行されるほど突出長さが長くなるようその上端が斜めに形成されることが好ましい。
【００３１】
そして、前記サイクロン本体と前記ダストカップは透明であり、前記サイクロン本体と前記ハンドル管は一体に形成されるし、前記ハンドル管は、延長管を経由して前記吸気口組立体と空気疎通が可能に設けられ、フレキシブルなホースを経由して前記掃除機本体と空気疎通が可能に設けられることが好ましい。
【００３２】
一方、本発明の他の側面によれば、真空掃除機用のサイクロン集塵装置は、真空源を内蔵する掃除機本体と被掃除面からゴミを吸込む吸気口組立体を連結する吸気流路上に設けられ、前記吸気口組立体を介して吸込まれた外気を遠心分離するため、前記吸気口組立体に連結される延長管と前記掃除機本体に連結されるフレキシブルホースを連結するハンドル組立体に設けられるサイクロン本体と、前記サイクロン本体に着脱自在に結合されるダストカップとを含み、前記ダストカップの終端が前記吸気流路に沿った前記ハンドル組立体の下流側に向いていることが好ましい。
【発明の効果】
【００３３】
ハンドル組立体にサイクロン集塵装置を一体に設けることによりハンドル組立体に補助吸気機構を連結して使う時にもサイクロン集塵装置の使用が可能になる。
【００３４】
また、サイクロン集塵装置の終端がハンドル管の下流側に向いているため補助吸気機構の使用がダストカップにより不便になることを抑えることができ、サイクロン集塵装置が取っている空間を縮小させることができる。
【発明を実施するための最良の形態】
【００３５】
以下、本発明の良好な実施例を添付された図面を参照して詳説する。因みに、本発明の実施例を説明するに当って図１に図示され説明された従来の真空掃除機の構成要素と同一な構成および機能を有する真空掃除機の構成要素につき、従来と同一な参照符号を付して引用し、それについての詳説は除く。
【実施例１】
【００３６】
図２および図３は本発明の第１の実施例に係るハンドル組立体２００を図示したものである。同図を参照すると、本発明に係るハンドル組立体２００は、ハンドル管２１０と、取っ手２２０、サイクロン集塵装置２５０を含む。
【００３７】
ハンドル管２１０は、その両端に入口２１０ａと出口２１０ｂが形成され、吸気口組立体１１０（図１参照）と掃除機本体１００（図１参照）を連結する吸気経路上に着脱自在に設けられる。一般に、ハンドル管２１０の入口２１０ａは延長管１２０（図１参照）を経由して吸気口組立体１１０と空気疎通が可能に連結される。またハンドル管２１０の出口２１０ｂはフレキシブルホース１３０（図１参照）を経由して掃除機本体１００と空気疎通が可能に連結される。そして、ハンドル管２１０の一側には真空掃除機を用いた被掃除面の掃除時にユーザが把持できる形状で取っ手２２０が形成される。
【００３８】
一方、後述するサイクロン集塵装置２５０は、ハンドル管２１０の側面にカンチレバー上に突出形成される。これによって、本発明に係るハンドル管２１０はサイクロン集塵装置２５０の設置のため、第１のチューブ２１３と、第２のチューブ２１５、および隔壁２１７を有する。
【００３９】
第１のチューブ２１３は、ハンドル管２１０の入口とサイクロン集塵装置２５０のサイクロンチャンバ２８０を連結する。第２のチューブ２１５はハンドル管２１０の出口２１０ｂとサイクロン集塵装置２５０の出口２６５を連結する。隔壁２１７は第１および第２のチューブ２１３、２１５がハンドル管２１０の内部にて互いに隔離させるためのもので、ハンドル管２１０の内部に設けられる。参考に、説明しない符号２１９は第１のチューブ２１３とサイクロン集塵装置２５０の入口２６３を連結する流入管である。かかる第１および第２のチューブ２１３、２１５と、隔壁２１７と、流入管２１９はサイクロンチャンバ２８０の内部に後述するサイクロン本体２６０ケース２６１の接線方向に外気が吸込まれるようにすると同時に、サイクロン集塵装置２５０の出口２６５を介して排出される清浄空気が前記外気と混合されないのであれば、多様な形状で構成が可能となる。一例に、本実施例での流入管２１９は、サイクロンチャンバ２８０に吸込まれる空気の流れの速度を早くして遠心分離の効果が向上されるよう、サイクロン本体２６０に近いところの横断面積が次第に狭くなる形状で形成されている。
【００４０】
前述のように、ハンドル管２１０に設けられるサイクロン集塵装置２５０は、吸気口組立体１１０を介して吸込まれた外気を遠心分離してその外気に含まれているゴミを分離するためのもので、サイクロン本体２６０とダストカップ２７０を含む。
【００４１】
サイクロン本体２６０は、ハンドル管２１０の側面に斜めに連結される。そして、サイクロン本体２６０は第１のチューブ２１３と連結され外気が吸込まれる通路である入口２６３と、第２のチューブ２１５と連結されるサイクロンチャンバ２８０内部でゴミが分離された清浄空気が排出される通路である出口２６５と、を有し、後述するダストカップ２７０との結合時に外気を遠心分離するサイクロンチャンバ２８０の一部を担当する空間が内部に形成される筒型ケース２６１を含む。このようなサイクロン本体２６０は、ハンドル管２１０と着脱自在に連結されるが、本実施の例にてはハンドル管２１０と一体に形成されたもののみ説明する。
【００４２】
ダストカップ２７０は、ケース２６１の開放端に着脱自在に結合され、その結合時に吸気口組立体１１０と掃除機本体１００とを連結する吸気流路に沿ったハンドル管２１０の下流側に向いている。かかるダストカップ２７０はサイクロン本体２６０と結合された状態でハンドル管２１０の第２のチューブ２１５と平行に配されることが好ましい。これによれば、ハンドル管２１０の入口２１０ａに補助吸気機構１７０（図１参照）を連結して被掃除面の掃除をする時ダストカップ２７０によって掃除作業が妨害されるのを防止することができる。
【００４３】
前述のように構成される本実施例にてのサイクロン集塵装置２５０は、ゴミ分離効果の向上のためにゴミ分離板２９３と、逃避穴２９４と、ゴミ流動防止部材２９５と、フィルタユニット２９１とを有する。
【００４４】
フィルタユニット２９１は、サイクロン集塵装置２５０の出口２６５を介して排出される清浄空気から微細ゴミを分離させる。本実施例でのフィルタユニット２９１はサイクロン本体２６０の出口２６５を覆うようにケース２６１内部にグリル状に設けられ、その下端に設けられた逆流防止スカート２９２を含む。その他にもフィルタユニット２９１は公知された技術を用いて多様な形態にその構成が可能であることは勿論である。
【００４５】
ゴミ分離板２９３は、サイクロンチャンバ２８０を外気が遠心分離される空間である第１のチャンバ２８１と、第１のチャンバ２８１から分離されたゴミが積載される空間である第２のチャンバ２８２とに両分されるようケース２６１の内部で斜めに設けられる。かかるゴミ分離板２９３によれば、第２のチャンバ２８２に積載されたゴミが出口２６５に向けて流動する清浄空気に便乗して出口２６５に逆流するのを抑える。このようなゴミ分離板２９３が前述した機能を満たすことができるのであれば多様な構成が可能となる。
【００４６】
逃避穴２９４は、第１のチャンバ２８１から分離されたゴミが第２のチャンバ２９２に流入されるようにするもので、本実施例ではハンドル管２１０から最も遠い位置にあるゴミ分離板２９３の一側に貫通形成される。
【００４７】
ゴミ流動防止部材２９５は、第２のチャンバ２８２に収容された微細ゴミが空気の流動に便乗して浮遊するのを抑えるためのもので、本実施例にてはダストカップ２７０の長さ方向に沿って突出される板型部材状に形成される。そして、ゴミ流動防止部材２９５はダストカップ２７０の終端に進行されるほどその突出長さが長くなるよう斜めに形成されゴミ流動防止の効果が向上されようにすることが好ましい。
【００４８】
前述のように構成されたサイクロン集塵装置２５０は、サイクロン本体２６０とダストカップ２７０がすべて透明材質で形成され、ユーザがサイクロン集塵装置２５０の内部観察が可能となるようすることが好ましい。これによれば、サイクロン集塵装置２５０の管理がより容易になされ得る。
【実施例２】
【００４９】
図４は本発明の第２の実施例にかかる真空掃除機用のハンドル組立体２００を図示したものである。本実施例にてのハンドル組立体２００は、ダストカップ２７０とサイクロン本体２６０の結合/結合解除時にダストカップ２７０を臨時的に支持してユーザの負担を減らせるものである。また、ダストカップ２７０内にゴミが充填された際にその下重を支持してサイクロン集塵装置２５０の損傷を抑える補助結合ユニット３００を更に含む。
【００５０】
本実施例の補助結合ユニット３００は、ケース２６１とダストカップ２７０の結合/結合解除時にダストカップ２７０をハンドル管２１０に摺動および着脱自在に連結する。このため、補助結合ユニット３００は、ハンドル管２１０から突出形成されたＴ字型スライド突起３１０と、スライド突起３１０が着脱および摺動が可能に挿入されるスライド溝３２０と、を含む。ここで、スライド突起３１０の摺動方向は、サイクロン本体２６０に結合/結合解除になる時のダストカップ２７０の移動方向（ａ）と同一であることが好ましい。
【００５１】
前述のような補助結合ユニット３００を除いた残りの構成は、前もって説明された第１の実施例のハンドル組立体２００の構成と同一であるのでここではその詳説は除く。
【実施例３】
【００５２】
図５および図６は、本発明の第３の実施例にかかるハンドル組立体２００を示したものであり、サイクロン本体２６０（図２参照）とダストカップ２７０（図２参照）がハンドル管２１０について所定の傾斜角θ（図２参照）で斜めに形成された中心軸（Ｘ）に沿って直列配される第１および第２の実施例とは相違に、本実施例に係るハンドル組立体２００のサイクロン集塵装置２５０’はハンドル管２１０に連結される基端部とダストカップ２７０の終端が互い斜めに連結されるようその一部が屈折される。
【００５３】
これはサイクロン本体２６０’とハンドル管２１０との傾斜角を大きくしてサイクロン集塵装置２５０’の集塵効率を向上させ、サイクロン本体２６０’に結合されたダストカップ２７０の終端がハンドル管２１０の下流側に向くようにするためである。本実施例にては、ケース２６１’の開放端に隣接したケース２６１’の一部が屈折されるように形成される。この際、ケース２６１’とハンドル管２１０は互い直角をなしながら連結されるのが好ましく、ダストカップ２７０は前もって説明された実施例の場合と同様にケース２６１’と結合された状態で第２のチューブ２１５と平行に配されることがより好ましい。その他にも図示されてないが、サイクロン本体２６０’の代わりにダストカップ２７０の一部が屈折して形成された場合にも前述された機能を同一に行なえることは勿論である。
【００５４】
前述のようにサイクロン本体２６０’の一部を屈折に形成させるため本実施例でのケース２６１’は互い斜めに連結される第１のケース２６１ａと第２のケース２６１ｂとを含む。
【００５５】
第１のケース２６１ａは、第１のチューブ２１３について斜めになるようハンドル管２６０に連結される。第２のケース２６１ｂは、第１のケース２６１ａの先端部で斜めに連結され、その内部には第１のケース２６１ａの終端が所定の長さ突出される。この際、第２のケース２６１ｂがダストカップ２７０のように第２のチューブ２１５と平行になるよう第１のケース２６１ａと斜めに連結されることは好ましい。
【００５６】
このように構成された本実施例にてのハンドル組立体２００には、前もって説明された他の実施例の場合と類似に、フィルタ２９１と、ゴミ分離板２９３’と、逃避穴２９４’と、ゴミ流動防止部材２９５の設置が可能である。さらに、図示されてないが、第２の実施例の場合のように補助結合ユニット３００（図４参照）を適用させ得る。
【００５７】
本実施例でのゴミ分離板２９３’は、図６のように、第１のケース２６１ａの下端を覆うよう設けられ、第２のケース２６１ｂの内周面と所定の傾斜角で斜めに配される。
【００５８】
一方、逃避穴２９４’は、前述した実施例と同様にゴミ分離板２９３’の一側に貫通形成されるが、本実施例では、ゴミ分離板２９３’の縁部と連結され第２のケース２６１ｂの内部に位置する第１のケース２６１ａの側壁に貫通形成される。かかる逃避穴２９４’の設置位置は、ダストカップ２７０の終端と最も隣接したところに位置した第１のケース２６１ａの側壁に貫通形成されることが好ましい。これによれば、図６のようにダストカップ２７０の内壁からゴミ分離板２９３’の高さ（ｈ）分のゴミ積載空間が確保されるのである。
【００５９】
以上のように、変形されたサイクロン本体２６０’の第１のケース２６１ａと、第２のケース２６１ｂ、およびゴミ分離板２９３’は全て一体に形成されることが好ましい。そして、サイクロン本体２６０’とハンドル管２１０と一体に形成されることがより好ましい。これによれば、サイクロン集塵装置２５０’の製造がさらに容易になる。
【実施例４】
【００６０】
図７ないし図１０は、第４の実施例に係るハンドル組立て２００を示した図であって、前述の実施例とは相違に、本実施例ではサイクロン集塵装置２５０”が第１のチューブ２１３と第２のチューブ２１５との間に設けられる。そして、サイクロン本体２６０”は入口２６３と出口２６５およびケース２６１”を備えるということは前述した実施例と同一であるが、前述の実施例の図３に示したようにサイクロン本体２６０の入口２６３は流入管２１９を介して第１のチューブ２１３と連結される。しかし、本実施例では図７に示したように、サイクロン本体２６０”の入口２６３は、第１のチューブ２１３と直接連結されている。さらに、ケース２１６”は流入管２１９’を備えるので、前述の実施例とは相違に筒型のケース２６１（図３参照）ではない。
【００６１】
このように構成される本実施例におけるサイクロン集塵装置２５０”は、ゴミ分離効果の向上のために内側ケース３１６、グリル部材２９１’、および空気誘導壁３１４を含むことが好ましい。
【００６２】
図８および図９を参照すると、内側ケース３１６はサイクロン本体２６０”のケース２６１”内部に設けられて上下部がオープンされている。上部は出口２６５を介してオープンされており、下部は後述するグリル部材２９１’と連結されている。
【００６３】
空気誘導壁３１４は、内側ケース３１６の外部に設けられ、前記サイクロン本体の入口２６３を介して吸込まれる前記空気を下部へとガイドする。空気誘導壁３１４は、出口２６５の外側から円周方向にその高さが次第に低くなる形状、例えば、螺旋方向で所定の距離連続して形成される。空気誘導壁３１４の高い方はドーム状で形成し、低い方は平面状で形成する。前記ドーム状の空気誘導壁３１４は入口２６３と連結される。従って、入口２６３へ吸込まれた空気の流れをスムーズにガイドすることができる。特に、ラウンドされた面に沿って空気が誘導されるので、渦流発生などを最小化することで遠心力を大きく発生する。遠心力が大きくなるほどゴミの遠心分離効率も向上されるのである。
【００６４】
そして、挿入口３１２は、空気誘導壁３１４の上面と一体に設けられて前記サイクロン本体の入口と嵌合される。このように内側ケース３１６と空気誘導壁３１４と挿入口３１２とはすべて一体に形成されることが好ましい。これによると、サイクロン集塵装置２５０”の製造がより容易になり、且つ装置製造の生産性も向上される。
【００６５】
グリル部材２９１’は、図１０に示したように、多数の微細孔２９７が設けられたボディー２９９と、ボディー２９９の下端に結合されたスカート２９２’を備える。ボディー２９９は上端がオープンされており、円筒状を有する。ボディー２９９の上端は、内側ケース３１６の下端に結合される。ボディー２９９の下端は塞がっており、下端の外周にはスカート２９２’が拡張形成されている。
【００６６】
スカート２９２’は、ケース２６１”の内径より小さく、ボディー２９９の外径より大きい外径を有するよう形成される。スカート２９２’は、ケース２６１"内における遠心分離されたゴミの逆流を遮断する。スカート２９２’は、円周方向に一部が段落された切開部２９６を有する。切開部２９６は、スカート２９２’とダストカップ２７０との間の間隔より大ゴミが落下して分離させるためのものである。そして、スカート２９２’は、円周方向に切開部２９６に向けて次第に斜めに形成された傾斜面２９８を有する。傾斜面２９８は、空気の遠心方向に次第低くなる。従って、スカート２９２’上に落下したゴミが遠心力により移動されてから傾斜面２９８を介して切開部２９６に落下して分離される。このように構成される本実施例におけるグリル部材２９１’が前述の実施例に適用され得ることは勿論である。
【００６７】
前記の構成を有する本実施例に係るほかのサイクロン集塵装置２５０”の作動を詳説する。ゴミが含まれた空気は、チューブ入口２１０ａおよび第１のチューブ２１３を介して入口２６３を経てからサイクロン集塵装置２５０”に吸込まれる。吸込まれた空気は、空気誘導壁３１４にガイドされて旋回気流に変わってケース２６１"内に吸込まれる。吸込まれた旋回気流の遠心作用によって比較的きれいな空気がグリル部材２９１’を介して出口２６５を経てから第２のチューブ２１５に移動される。
【００６８】
以上に説明された本発明によれば、ハンドル組立体２００にサイクロン集塵装置２５０、２５０’を一体に設けることによりハンドル組立体２００に補助吸気機構１７０（図１参照）を連結して使う時にもサイクロン集塵装置２５０、２５０’の使用が可能になる。
【００６９】
また、サイクロン集塵装置２５０、２５０’の終端がハンドル管の下流側に向いているため補助吸気機構１７０の使用がダストカップ１６０（図１参照）により不便になることを抑えることができ、サイクロン集塵装置２５０、２５０’が取っている空間を縮小させることができる。
【００７０】
以上では、本発明の好適な実施例について図示し説明したが、本発明は、前述の特定の実施例に限定されるものではなく、請求の範囲で請求する本発明の要旨を逸脱することなく当該発明の属する技術分野における通常の知識を有するものであれば誰でも各種の変形実施が可能であることはもとより、そのような変更は、請求の範囲記載の範囲内にあることが自明である。
【産業上の利用可能性】
【００７１】
本発明は、ゴミと共に吸込まれる外気を遠心分離してその外気に含まれたゴミを分離するサイクロン集塵装置と、かかるサイクロン集塵装置を備える真空掃除機に適用可能であり、これによれば、補助吸気機構の使用時にもサイクロン集塵装置を使用することができるので掃除効率を向上させ得る。
【図面の簡単な説明】
【００７２】
【図１】従来の真空掃除機を示す分離斜視図である。
【図２】本発明の第１の実施例にかかるハンドル組立体を示す側面図である。
【図３】図２のハンドル組立体の使用例を示す断面図である。
【図４】本発明の第２の実施例にかかるハンドル組立体を示す側面図である。
【図５】本発明の第３の実施例にかかるハンドル組立体を示す側面図である。
【図６】図５のハンドル組立体の使用例を示す断面図である。
【図７】本発明の第４の実施例にかかるハンドル組立体を示す側面図である。
【図８】図７の内側ケースおよび空気誘導壁の正面図である。
【図９】図８の斜視図である。
【図１０】図７のグリル部材の斜視図である。
【符号の説明】
【００７３】
１００  掃除機本体
１１０  吸気口組立体
１２０  延長管
１３０  フレキシブルホース
２００  ハンドル組立体
２１０  ハンドル管
２２０  取っ手
２５０、２５０’  サイクロン集塵装置
２６０、２６０’  サイクロン本体
２６１、２６１’  ケース
２７０  ダストカップ
２９３、２９３’  ゴミ分離板
２９４、２９４’  逃避穴
２９５  ゴミ流動防止部材
３００  補助結合ユニット
３１０  ガイド突起
３２０  ガイド溝
【図１】
2004358252.tif 000003
【図２】
2004358252.tif 000004
【図３】
2004358252.tif 000005
【図４】
2004358252.tif 000006
【図５】
2004358252.tif 000007
【図６】
2004358252.tif 000008
【図７】
2004358252.tif 000009
【図８】
2004358252.tif 000010
【図９】
2004358252.tif 000011
【図１０】
2004358252.tif 000012